(57)【特許請求の範囲】
【請求項１】
ペットの頭部載置部、胴部載置部および臀部載置部からなる姿勢保持主体と、前記胴部載置部の左右に配置される保護部材とから構成され、
前記姿勢保持主体は、少なくとも頭部載置部と胴部載置部とが分離可能であり、
前記保護部材は、それぞれの上部が前記胴部載置部の上部に突出する状態で、前記胴部載置部の左右に、分離可能に設けられていること
を特徴とするペット用姿勢保持台。
【請求項２】
前記姿勢保持主体は、
前記胴部載置部、頭部載置部および臀部載置部を個々に分離可能としたこと
を特徴とする請求項１に記載のペット用姿勢保持台。
【請求項３】
前記姿勢保持主体は、
その頭部載置部が、ペットの頭部を胴部より上方に位置するよう構成されていること
を特徴とする請求項１又は２に記載のペット用姿勢保持台。
【請求項４】
前記頭部載置部、胴部載置部、臀部載置部および左右の保護部材は、
布製カバーで覆われた弾性を有する合成樹脂材からなること
を特徴とする請求項１又は２に記載のペット用姿勢保持台。
【請求項５】
前記姿勢保持主体は、
前記頭部載置部が、
面ファスナによって、胴部載置部と分離可能に構成されていること
を特徴とする請求項１又は２に記載のペット用姿勢保持台。
【請求項６】
前記個々に独立した胴部載置部、頭部載置部、臀部載置部および左右の保護部材は、
面ファスナによって一体化させること
を特徴とする請求項２に記載のペット用姿勢保持台。
【請求項７】
前記姿勢保持主体および左右の保護部材は、
いずれも高さ調整が可能に構成されていること
を特徴とする請求項１に記載のペット用姿勢保持台。
【請求項８】
前記姿勢保持主体は、
個々の分離可能な前記載置部の上面に、それぞれクッションシートが着脱自在に装着されていること
を特徴とする請求項１〜７のいずれかに記載のペット用姿勢保持台。
【請求項９】
前記クッションシートは、
伸縮性を有する袋部材内に、樹脂製のビーズ材又は低反発ウレタンフォームや低反発ジェルなどの低反発素材が充填されていること
を特徴とする請求項８に記載のペット用姿勢保持台。
【請求項１０】
前記姿勢保持主体および左右の保護部材は、
いずれも洗濯可能な取替えカバー部材で被覆されていること
を特徴とする請求項１に記載のペット用姿勢保持台。
【発明の詳細な説明】
【技術分野】
【０００１】
この発明は、犬や猫などのペットを、一定の姿勢に保持させることのできるペット用姿勢保持台に関するものである。
より具体的には、老齢あるいは怪我などしているペットを、視界を保持しながら休息状態を保持させ、もしくは歩行活動などをさせることのできるペット用姿勢保持台に関するものである。
【背景技術】
【０００２】
老齢で、あるいは傷病状態などで歩行活動などができないペットの介護に際して、床ずれを防止するペット用マットして、例えば、特開２００５−３２３５５３号公報（特許文献１）がある。
この特許文献１に記載のペット用の寝床は、寝床本体に枕部を取り付けることにより、ペットが寝そべっている状態で頭部を楽な姿勢で枕部に乗せることができ、ペットが心地好く睡眠や休息できるものである。
【０００３】
具体的には、床面部と周壁部によりペットが寝そべる寝床本体を構成し、ペットが寝床本体に寝そべっている状態で、ペットが楽な姿勢で頭部を乗せられる枕部を寝床本体に取り付けたもので、前記寝床本体は、床面部の上にクッション部材を備え、前記枕部は、ペットがクッション部材に寝そべっている状態の、クッション部材の座面よりも高くなる厚みを備えるように形成されている。
【０００４】
さらに、特開２００６−２３８７６１号公報（特許文献２）においては、管理者の負担を軽減しながらペットの床ずれを防止するペット用マットが提案されている。
このペット用マットは、柔軟性と保形性を備えたマットにペットの重みが作用すると、ペットを乗せた部位が折れ曲がるとともに、当該部位を境とする左右マットが持ち上がって、当該左右マットの左右マット面でペットを支えるように構成されている。
【０００５】
さらに、特開２００７−０７０５３５号公報（特許文献３）においては、犬などの四足動物の四足が萎えた場合に、休息、排泄などの生活活動が可能な動物用介護ベッドとリハビリ訓練用具を兼ねる動物介護用ベッドが提案されている。
【０００６】
この特許文献３に記載の動物介護用ベッドは、四足動物（以下、動物と略称）が跨って身を預けることができるベッド本体と、高さ調整可能なベッド脚部と、動物のベッドからのズレ落ちを防止する保護部と、その結束具と、ベッド本体や保護部の開口部、さらにベッド脚部にも開口部を有し、かつ取り外し自在な排泄物回収具を有するものである。
【先行技術文献】
【特許文献】
【０００７】
【特許文献１】特開２００５−３２３５５３号公報（請求項１，図５）
【特許文献２】特開２００６−２３８７６１号公報（請求項１，図３）
【特許文献３】特開２００７−０７０５３５号公報（請求項１，図１）
【発明の概要】
【発明が解決しようとする課題】
【０００８】
前記特許文献１に記載のペット用枕は、ペットがリラックスした状態で安心してあごを含む頭部を預かられることを目的としたもので、老齢の、あるいは怪我などしているペットを、視界を保持しながら休息状態を保持させ、もしくは歩行活動などをさせること目的としたものではない。
【０００９】
前記特許文献２に記載のペット用マットは、クッション材が充填されたマットの中央部を左右に二分割し、分割部にＶ字状の保持を構成し、当該Ｖ字状部にペットの重みが作用すると、前記分割部を中心に左右のマット部材の端縁部が持ち上がり、ペットの両側部を支えるようにしているので、寝たきりのペット専用で、自力で歩行が可能な余力を有するペットには利用できず、可搬性がないので、持ち運びが不自由なものである。
【００１０】
前記特許文献３に記載の動物介護用ベッドは、ベッド本体内にペットを収容する構成が採用されているので、ペットは前記ベッド本体内での歩行しかすることができず、自由を大幅に規制されているので、ストレスがペットに作用し易く、体調を崩させる大きな要因を内在している。
【００１１】
この発明はかかる現状に鑑み、ペットの視覚を十分に確保した状態で、頭部を含む体全体を安定した状態で保持してペットをリラックスさせることができ、局所的な圧迫感をなくし、伏臥状態のペットが不用意に保持台からズレ落ちることを防止することのできるペット用姿勢保持台の提供を目的とするものである。
【課題を解決するための手段】
【００１２】
前記目的を達成するため、この発明のペット用姿勢保持台は、
ペットの頭部載置部、胴部載置部および臀部載置部からなる姿勢保持主体と、前記胴部載置部の左右に配置される保護部材とから構成され、
前記姿勢保持主体は、少なくとも頭部載置部と胴部載置部とが分離可能であり、
前記保護部材は、それぞれの上部が前記胴部載置部の上部に突出する状態で、前記胴部載置部の左右に、分離可能に設けられていること
を特徴とするものである。
【００１３】
この発明の請求項２に記載の発明は、
請求項１に記載のペット用姿勢保持台において、
前記姿勢保持主体は、
前記胴部載置部、頭部載置部および臀部載置部を個々に分離可能としたこと
を特徴とするものである。
【００１４】
この発明の請求項３に記載の発明は、
請求項１又は２に記載のペット用姿勢保持台において、
前記姿勢保持主体は、
その頭部載置部が、ペットの頭部を胴部より上方に位置するよう構成されていること
を特徴とするものである。
【００１５】
この発明の請求項４に記載の発明は、
請求項１又は２に記載のペット用姿勢保持台において、
前記頭部載置部、胴部載置部、臀部載置部および左右の保護部材は、
布製カバーで覆われた弾性を有する合成樹脂材からなること
を特徴とするものである。
【００１６】
この発明の請求項５に記載の発明は、
請求項１又は２に記載のペット用姿勢保持台において、
前記姿勢保持主体は、
前記頭部載置部が、
面ファスナによって、胴部載置部と分離可能に構成されていること
を特徴とするものである。
【００１７】
この発明の請求項６に記載の発明は、
請求項２に記載のペット用姿勢保持台において、
前記個々に独立した胴部載置部、頭部載置部、臀部載置部および左右の保護部材は、
面ファスナによって一体化させること
を特徴とするものである。
【００１８】
この発明の請求項７に記載の発明は、
請求項１に記載のペット用姿勢保持台において、
前記姿勢保持主体および左右の保護部材は、
いずれも高さ調整が可能に構成されていること
を特徴とするものである。
【００１９】
この発明の請求項８に記載の発明は、
請求項１〜７のいずれかに記載のペット用姿勢保持台において、
前記姿勢保持主体は、
個々の分離可能な前記載置部の上面に、それぞれクッションシートが着脱自在に装着されていること
を特徴とするものである。
【００２０】
この発明の請求項９に記載の発明は、
請求項８に記載のペット用姿勢保持台において、
前記クッションシートは、
伸縮性を有する袋部材内に、樹脂製のビーズ材又は低反発ウレタンフォームや低反発ジェルなどの低反発素材が充填されていること
を特徴とするものである。
【００２１】
この発明の請求項１０に記載の発明は、
請求項１に記載のペット用姿勢保持台において、
前記姿勢保持主体および左右の保護部材は、
いずれも洗濯可能な取替えカバー部材で被覆されていること
を特徴とするものである。
【発明の効果】
【００２２】
この発明にかかるペット用姿勢保持台は、胴部が載置可能な胴部載置部と、この胴部載置部の前部側に配置される頭部載置部と、前記胴部載置部の後部側に配置される臀部載置部および前記胴部載置部の左右の配置される、胴部が位置ズレすることを防止する保護部材とで構成されているので、ペットを前記姿勢保持主体上に体全体を腹這い状態で載せることができ、載せられたペットには局部的な圧迫感を与えることがないので、ペットがリラックス状態で休息や睡眠を取ることができる。
【００２３】
特に、この発明のペット用姿勢保持台は、少なくとも前記頭部載置部と胴部載置部とを分離可能としているので、食事に際して頭部載置部を胴部載置部から分離させることによって、ペットは首部を自由に動かせるので、楽に飲食することができる。
【００２４】
さらに、首部を自由に動かすことができることによって、ペットは飼い主や周囲に対し視線を自由に向けることができるので、食べ物が視界に入れば欲しがり、興味の対象になるものが出現すれば、視線を自在に移動させることができるなど、老齢化した、あるいは傷病中のペット自体に活力を与えることができる。
【００２５】
さらにまた、前記胴部載置部の左右の端部に、それぞれ胴部が位置ズレすることを防止する保護部材を配置しているので、休息や睡眠時において、ペットが姿勢保持主体からズレ落ちる危険性がない。
【００２６】
なお、前記個々の分離可能な載置部および左右の保護部材を、洗濯可能な取替えカバー部材で被覆することによって、汚損された場合、直ちに新しい取替えカバー部材に替えることによって、ペット用姿勢保持台を常に清潔な状態で維持でき、室内に不快な臭気が立つことを防止することができる。
【図面の簡単な説明】
【００２７】
【図１】この発明にかかるペット用姿勢保持台の一例を示す分解斜視図である。
【図２】図１に示すペット用姿勢保持台の使用状態の一例を示す側面図である。
【発明を実施するための形態】
【００２８】
以下、この発明にかかるペット用姿勢保持台の実施例を、添付の図面に基づいて具体的に説明する。
なお、この発明は、以下の実施例にのみ限定されるものではなく、この発明の要旨を変更しない範囲内で種々変更を加えることができるものである。
【００２９】
この発明のペット用姿勢保持台１は、図１に示すように、ペット（実施例においては犬）の胴部を載置する、縦長でかつ所要の幅を有する胴部載置部２と、前部側に配置する頭部載置部３と、後部側に配置する臀部載置部４および左右一対の保護部材５，５とで構成されるもので、前記頭部載置部３，胴部載置部２および臀部載置部４は同一線上に位置させ、前記胴部載置部２の左右に保護部材５，５を相対させて配置して姿勢保持主体とするものである。
【００３０】
前記ペット用姿勢保持台１は、弾性を有するウレタンフォームなどからなる合成樹脂製材を布製のカバーで覆ったものである。
なお、前記各載置部および左右の保護部材は、図示しないが、いずれも洗濯可能な取替えカバー部材で被覆され、当該取替えカバー部材の所要個所に、前記各載置部を相互に連結させるための面ファスナが設けられているもので、添付の図面においては、取替えカバー部材は省略されている。
【００３１】
前記胴部載置部２の左右の端部には、ペットの胴部が所定の範囲から位置ズレすることを防止するための左右一対の保護部材５，５を、それぞれの上部が胴部載置部２の上部に突出する状態で分離可能に設けられている。
なお、この実施例においては、前記胴部載置部２の上面は、全体が緩やかな凹状の円弧となるよう形成している。
【００３２】
前記頭部載置部３は、前記胴部載置部２の前端に続いて上面を水平ないし穏やかな山状の円弧としたもので、ペットの頭部が安定して保持できるよう構成することが望ましい。
なお、脚部の長いペット用が使用する場合、図示しないが、前記頭部載置部３上に、別途アゴ載せ台を用いてもよい。
【００３３】
前記臀部載置部４は、ペットの排泄器官が直接接触しない程度の長さとすることが好ましいが、取替えカバー部材（図示せず）を適宜使用することによって、排泄物などによる汚損を回避することができる。
【００３４】
かかる胴部載置部２は，少なくとも頭部載置部３とは、相対する面にそれぞれ面ファスナＦ，Ｆを装着させ、当該面ファスナＦ同士を離接させることによって、一体化と分離をさせるものである。
したがって、前記頭部載置部２を胴部載置部３から分離することによって、ペットＰは首部を自由に動かすことができ、特に、頭部を下げることが可能となる。
なお、前記胴部載置部２は、図１においては、臀部載置部４とも分離可能に示されているが、一体化させたものであってもよい。
【００３５】
かかるペット用姿勢保持台１は、ペットの脚の長さに対応させるため、前記頭部載置部３，胴部載置部２，臀部載置部４および保護部材５，５の下部に、それぞれ高さ調節用の補助台２ａ，３ａ，４ａ，５ａが用いることができる。
ペットの胴部には、前足から頭部に至る前胸部と、前足と後足の間の腹部がある。
通常は、前記胴部載置部２が胴部全体を支えるよう、前記各補助台を面ファスナで着脱してペットＰの足が地に着かないように高さ調整するが、リハビリをさせる場合には足が地に着くように調整してもよい。
その場合、腹部は、胴部載置部２から浮いた状態になるが、前胸部は胴部載置部２に支えられている。
【００３６】
なお、図中７は、一直線上に配置される前記頭部載置部３，胴部載置部２および臀部載置部４の上面を覆うクッションシートである。
このクッションシート７は、前記頭部載置部３に適用されるシート７ａと、前記胴部載置部２に適用されるシート７ｂおよび前記臀部載置部４の上面に適用されるシート７ｃとから構成され、それぞれポリエステルなどの伸縮性を有する生地で構成した扁平な袋部材からなるもので、その内部には、低反発ウレタンフォームや低反発ジェルなどの低反発素材又はビーズ材が充填されたものである。
【００３７】
前記構成のペット用姿勢保持台１は、使用による汚染に対応するため、図示しないが、取替えカバー部材を使用することが好ましい。
この取替えカバー部材は、それぞれシート７ａ，７ｂ，７ｃを載せた頭部載置部３，胴部載置部２，臀部載置部４と、クッションシート７のない保護部材５を個別に覆うものであって、吸水および吸収機能を有し、かつ洗濯可能な、例えば、ポリエステル不織布で構成される。
なお、前記胴部載置部２と臀部載置部４とが一体の場合は、取替えカバー部材も胴部載置部２と臀部載置部４とを一緒に覆う。
【００３８】
かかる構成からなるペット用姿勢保持台１は、図２に示すようにペットＰをペット用姿勢保持台１上に腹這い状態で跨がせることによって、リラックスさせた状態で休息させることができる。
【００３９】
さらに、前記ペット用姿勢保持台１は、図２に示すように、前記頭部載置部３を胴部載置部２から分離した状態で、ペットＰを胴部載置部２上に跨がせ、胴部載置部２の前方に配膳台６を置けば、ペットＰは、図２に示すように、少なくとも胴部載置部２および保護部材５，５によって安定した状態に保持され、飲食をすることができるものである。
【００４０】
さらに、前記胴部載置部２，頭部載置部３、臀部載置部４からなる姿勢保持主体は、面ファスナＦを使用して一体化させ使用するものである。
同時に、前記左右の保護部材５，５も、面ファスナＦを利用して前記胴部載置部２の側面に装着して一体化させる。
さらにまた、前記各部材を洗濯可能な取替えカバー部材（図示せず）によって覆った場合は、各取替えカバー部材の外面に面ファスナＦを使用する。
【００４１】
なお、前記ペット用姿勢保持台１は、いずれも前後の長さおよび／または高さと、左右の幅が異なる胴部載置部２を適宜選択して使用することによって、大きさの異なるペットに使用することができる。
【００４２】
かかるペット用姿勢保持台１は、いずれも高さ調節用の補助台２ａ，３ａ，４ａ，５ａの厚みを変更することによって、さらには、所要の厚みの複数枚のマットを積層することによって、ペットＰの体系に合わせて変更することができる。
【産業上の利用可能性】
【００４３】
この発明のペット用姿勢保持台は、犬以外であっても四足を有する動物であれば、利用することができるので、多くの愛玩動物に適用することができる。
【符号の説明】
【００４４】
１      ペット用姿勢保持台
２      胴部載置部
２ａ    補助台
３      頭部載置部
３ａ    補助台
４      臀部載置部
４ａ    補助台
５      保護部材
５ａ    補助台
６      配膳台
７      クッションシート
７ａ    シート
７ｂ    シート
７ｃ    シート
Ｐ      ペット
【図１】
0006447904.tif 000002
【図２】
0006447904.tif 000003